(57)【要約】【課題】容易に製作することができ、しかも、床鳴りを生じさせない構造の床パネルを提供する。【解決手段】根太部５…と床板部４とを含む床パネル本体２が備えられ、該床パネル本体２が発泡樹脂の一体成形品からなっている。そして、床板部４と根太部５とに囲まれた空間部６に断熱材３が備えられ、該断熱材３は、前記空間部６内に注入充填され、発泡時の接着性で床パネル本体２に接着一体化された、床パネル本体部２よりも高い発泡倍率の発泡樹脂からなっている。この断熱材３を構成する発泡樹脂は例えばウレタンなどであるとよい。【選択図】      図１
2004300857.tif 000002
【特許請求の範囲】
【請求項１】
根太部と床板部とを含む床パネル本体が備えられ、該床パネル本体が発泡樹脂の一体成形品からなっていることを特徴とする床パネル
【請求項２】
前記床板部と根太部とに囲まれた空間部に断熱材が備えられ、該断熱材は、前記空間部内に注入充填され、発泡時の接着性で床パネル本体に接着一体化された、床パネル本体部よりも高い発泡倍率の発泡樹脂からなっている請求項１に記載の床パネル。
【請求項３】
前記断熱材を構成する発泡樹脂がウレタンからなる請求項２に記載の床パネル。
【発明の詳細な説明】
【０００１】
【発明の属する技術分野】
本発明は、建築用の床パネルに関する。
【０００２】
【従来の技術】
住宅等の建物の建築において、図３に示すように、床板５２の下面側に複数本の木製根太５３…が取り付けられ、必要に応じて、床板５２の下面側の根太５３…間の空間部に発泡樹脂などからなる断熱材５４が装填されている床パネル５１を用い、住宅等の建物の一階の床などを形成することは、従来より行われている。
【０００３】
【発明が解決しようとする課題】
しかしながら、床パネル５１の製作において、床板５２の下面側に複数本の根太５３…を取り付けていくのに手間を要するという問題がある。また、断熱材５４を装填する場合にも、各根太５３…間に複数の断熱材５４…を装填していかなければならず、それにも手間を要する。
【０００４】
更に、上記のような床パネル５１では、床板５２や根太５３…の部材公差による隙間や歪みの発生や、木製根太５３…の乾燥収縮によって、床鳴りを生じることがあるという問題もある。また、断熱材５４は、根太５３…間に装填されているだけで一体化の程度は低く、そのため、断熱材５４…との関係で、床板５２の微妙な撓みによる床鳴りを生じることがある。
【０００５】
本発明は、上記のような従来の問題点に鑑み、容易に製作することができ、しかも、床鳴りを生じさせない構造の床パネルを提供することを課題とする。
【０００６】
【課題を解決するための手段】
上記の課題は、根太部と床板部とを含む床パネル本体が備えられ、該床パネル本体が発泡樹脂の一体成形品からなっていることを特徴とする床パネルによって解決される。
【０００７】
この床パネルでは、根太部と床板部とを含む床パネル本体が樹脂一体成形品からなっているので、樹脂の一体成形により、この床パネル本体を容易に製作することができる。
【０００８】
しかも、根太部と床板部とは一体の物として成形されているから、部材公差による隙間等の発生が原因で起こる床鳴りや、根太部の乾燥収縮の発生によって起こる床鳴りをなくすことができる。
【０００９】
加えて、床パネル本体は、発泡樹脂品からなっているので軽量であり、運搬や施工を容易に行うことができるし、孔明け等の加工性にも優れる。
【００１０】
また、上記の床パネルにおいて、床板部と根太部とに囲まれた空間部に断熱材が備えられ、該断熱材は、前記空間部内に注入充填され、発泡時の接着性で床パネル本体に接着一体化された、床パネル本体部よりも高い発泡倍率の発泡樹脂からなっているとよい。
【００１１】
この場合は、床パネル本体における前記空間部への樹脂の注入と発泡を行えば、断熱床パネルを製作でき、断熱床パネルの製作を容易に行うことができる。
【００１２】
しかも、断熱材は、発泡時の接着性で床パネル本体に接着一体化されているので、断熱材と床パネル本体との一体化を容易に実現することができ、しかも、この一体化によって、床パネル本体の微妙な撓みによる床鳴りの発生を防止することができる。
【００１３】
この断熱床パネルにおいて、断熱材を構成する発泡樹脂がウレタンからなる場合は、ウレタン樹脂の発泡の際の強力な接着作用によって、断熱材と床パネル本体とをしっかりと一体化することができる。
【００１４】
【発明の実施の形態】
次に、本発明の実施形態を図面に基づいて説明する。
【００１５】
図１（ロ）に示す第１実施形態の床パネル１は、断熱床パネルからなり、この断熱床パネル１において、２は床パネル本体、３は断熱材であり、図１（イ）に示す床パネル本体２において、４は床板部、５…は根太部であり、床パネル本体２は、発泡樹脂の一体成形品からなっている。なお、床パネル本体２を構成する樹脂の種類や発泡倍率に特段の制限はなく、床パネルとしての剛性を確保しうるような材質の選択、発泡倍率の設定がなされていればよい。
【００１６】
そして、図１（イ）に示す床パネル本体２の床板部４の下面側の根太部５…の隣接空間部６…に、断熱材３…が設けられており、この断熱材３…は、前記空間部６…内に注入充填され、発泡時の接着性で床パネル本体２に接着一体化された、床パネル本体２よりも高い発泡倍率のウレタン発泡樹脂からなっている。
【００１７】
この断熱床パネル１では、根太部５と床板部４とからなる床パネル本体２が樹脂一体成形品からなっているので、樹脂の一体成形により、床パネル本体２を容易に製作することができ、しかも、根太部５と床板部４とは樹脂一体成形で一体の物として形成されているから、部材公差による隙間等の発生が原因で起こる床鳴りや、根太部の乾燥収縮の発生によって起こる床鳴りもなくすことができる。更に、床パネル本体２は、発泡樹脂品からなっているので軽量で、運搬や施工を容易に行うことができるし、孔明け等の加工も容易に行うことができる。
【００１８】
更に、断熱材は、いわゆる接着が同時に行われるいわゆる樹脂の注入発泡により床パネル本体２に組み込まれているから、断熱床パネル１の製作も容易に行うことができ、しかも、その樹脂がウレタンであることから、断熱材３と床パネル本体２との接着性を特に高いものにすることができ、床パネル本体２の微妙な撓みによる床鳴りの発生を確実に防止することができる。
【００１９】
また、床パネル本体２は樹脂の一体成形品であるから、床板部４と根太部５…との境界部を、図１（イ）に示すように、円弧状に成形することができ、その部分への応力集中を緩和することも可能となる。
【００２０】
図２に示す第２実施形態の床パネル１は、床パネル本体２が、図２（イ）に示すように、上床板部４の下面側の根太部５…の更に下面側に下床板部７を一体成形したものからなっており、また、根太部５…の空間部６…は断面円形の中空部に成形され、この中空部６…内に、図２（ロ）に示すように、第１実施形態と同様の発泡樹脂断熱材３が備えられている。
【００２１】
以上に、本発明の実施形態を示したが、本発明はこれに限られるものではなく、発明思想を逸脱しない範囲で各種の変更が可能である。例えば上記の実施形態では、床パネル１が断熱材３を備えた断熱床パネルからなる場合を示しているが、図１（イ）や図２（イ）に示すような、断熱材無しの床パネル本体２や、その他の形態の床パネル本体を床パネルとしてもよい。上記の実施形態では、断熱材３を構成する樹脂としてウレタンを使用した場合を示しているが、これに限らず、空間部内に注入充填され、発泡時の接着性で床パネル本体に接着一体化されるような樹脂であればよい。また、本発明では、床パネル本体は、根太部の下面側に床板部を備え、根太部の上面側を開かせた形態のものからなっていてもよく、その場合の断熱床パネルは、床板部の上面側の根太部間に断熱材が備えられたものであってよい。
【００２２】
【発明の効果】
本発明の床パネルは、以上のとおりのものであるから、容易に製作することができ、しかも、床鳴りを生じさせない。
【図面の簡単な説明】
【図１】第１実施形態の床パネルを示すもので、図（イ）は床パネル本体の斜視図、図（ロ）は図（イ）の床パネル本体を用いた断熱床パネルの斜視図である。
【図２】第２実施形態の床パネルを示すもので、図（イ）は床パネル本体の斜視図、図（ロ）は図（イ）の床パネル本体を用いた断熱床パネルの斜視図である。
【図３】図（イ）は従来の床パネルを示す斜視図、図（ロ）は同床パネルの分解斜視図である。
【符号の説明】
１…床パネル
２…床パネル本体
３…断熱材
４…床板部
５…根太部
６…空間部
７…下床板部
【図１】
2004300857.tif 000003
【図２】
2004300857.tif 000004
【図３】
2004300857.tif 000005